(57)【要約】【課題】  少なくとも一部が透明な部材で形成されたベース板の裏面側に、表示装置を配置することにより、遊技の興趣を向上させるとともに、大型の表示装置が用いられたときでも表示装置による視覚的演出効果が低減することを防止する。【解決手段】  弾球遊技機１は、少なくとも一部が透明な部材で形成されたベース板３２から構成される遊技盤３０と、ベース板３２の裏面側に配設され、所定の画像を表示可能な表示領域を有する表示装置７０とを具備する。遊技盤３０の遊技領域３３には、遊技球の入球により遊技者に所定の利益を付与するための入賞口５が、正面側から見て表示装置７０の表示領域の端部近傍と重なる位置に、設けられている。【選択図】       図８
2005152112.tif 000002
【特許請求の範囲】
【請求項１】
少なくとも一部が透明な部材で形成されたベース板から構成される遊技盤と、前記ベース板の裏面側に配設され、所定の画像を表示可能な表示領域を有する表示装置とを具備する弾球遊技機であって、
前記遊技盤の遊技領域には、遊技球の入球により遊技者に所定の利益を付与するための入賞口が、正面側から見て前記表示装置の表示領域の端部近傍と重なる位置、又は、正面側から見て前記表示装置の表示領域以外の領域と重なる位置に、設けられていることを特徴とする弾球遊技機。
【請求項２】
前記ベース板の裏面側には、前記入賞口に入球した遊技球を前記遊技盤の下方に誘導するための遊技球の通路である遊技球通路部が、正面側から見て前記表示装置の表示領域の端部近傍と重なる位置、又は、正面側から見て前記表示装置の表示領域以外の領域と重なる位置に、設けられていることを特徴とする請求項１に記載の弾球遊技機。
【発明の詳細な説明】
【技術分野】
【０００１】
本発明は、パチンコ遊技機等の弾球遊技機に関する。
【背景技術】
【０００２】
従来より、透明な部材で形成された遊技盤が設けられた弾球遊技機がある。この弾球遊技機においては、遊技盤の透明部分の裏面側に、画像などを表示するための表示領域を有する表示装置が設けられている。このような弾球遊技機によれば、遊技者は、遊技球の動きを視認しながら、遊技盤を介して表示装置の表示内容を視認することができるので、遊技の興趣を向上させることができる（例えば、特許文献１参照）。
【特許文献１】特開平１１−７６５１７号公報
【発明の開示】
【発明が解決しようとする課題】
【０００３】
しかしながら、上述した従来技術では、以下のような問題があった。近年、演出効果のさらなる向上化を図るために、弾球遊技機に設けられる表示装置（具体的には、表示装置の表示領域）は、大型化の傾向にあり、このような大きな表示領域を用いて、演出画像の表示が行われる傾向にある。
【０００４】
このため、遊技盤の透明部分の裏面側に表示装置が設けられる弾球遊技機において、大型の表示装置が用いられた場合、弾球遊技機の正面側から見て、上記表示装置における表示内容の主要部分と、遊技盤の遊技領域に設けられる入賞口（例えば、一般入賞口など）とが重なってしまうことがある。このような場合、遊技者は、表示装置における表示が見にくいと感じるようになり、表示装置による視覚的演出効果が低減してしまう。
【０００５】
本発明は、以上のような問題点に鑑みてなされたものであり、少なくとも一部が透明な部材で形成されたベース板の裏面側に、表示装置を配置することにより、遊技の興趣を向上させるとともに、大型の表示装置が用いられたときでも表示装置による視覚的演出効果が低減することを防止できる弾球遊技機を提供することを目的とする。
【課題を解決するための手段】
【０００６】
以上の問題点を解決するために、本発明の弾球遊技機は、少なくとも一部が透明な部材で形成されたベース板（例えば、ベース板３２）から構成される遊技盤（例えば、遊技盤３０）と、上記ベース板の裏面側に配設され、所定の画像を表示可能な表示領域（例えば、液晶部７０ａ）を有する表示装置（例えば、液晶ディスプレイ部７０）とを具備する弾球遊技機であって、上記遊技盤の遊技領域には、遊技球の入球により遊技者に所定の利益を付与するための入賞口（例えば、一般入賞口５）が、正面側から見て上記表示領域の端部近傍と重なる位置、又は、正面側から見て上記表示領域以外の領域と重なる位置に、設けられていることを特徴とするものである。
【０００７】
通常、表示装置の表示内容の主要部分は、遊技者の注意を引きつけるために、表示装置の表示領域の中央近傍やその周辺にて表示され、表示装置の表示領域の端部近傍では、装飾的内容が表示されることが殆どである。本発明では、遊技上重要な構成となる上記入賞口が、正面側から見て、表示装置の表示領域の端部近傍と重なる位置、又は、正面側から見て上記表示装置の表示領域以外の領域と重なる位置に、設けられている。このため、本発明によれば、正面側から見て、上記表示装置における表示内容の主要部分と、遊技盤の遊技領域に設けられる入賞口とが重なってしまう事態が回避される。
【０００８】
従って、本発明によれば、少なくとも一部が透明な部材で形成されたベース板の裏面側に、表示装置を配置することにより、遊技の興趣を向上させるとともに、大型の表示装置が用いられたときでも表示装置による視覚的演出効果及び入賞口による遊技性が低減することを防止できる。
【０００９】
また、上記発明において、上記ベース板の裏面側には、上記入賞口に入球した遊技球を誘導するための遊技球の通路である遊技球通路部（例えば、遊技球通路部１２０）が、正面側から見て上記表示装置の表示領域の端部近傍と重なる位置、又は、正面側から見て上記表示装置の表示領域以外の領域と重なる位置に、設けられていることが好ましい。
【００１０】
一般的に、ベース板の裏面側には、上記遊技球通路部が設けられている。弾球遊技機の正面側から見て、上記表示装置における表示内容の主要部分と、上記遊技球通路部とが重なってしまうと、遊技者は、表示装置における表示が見にくいと感じるようになり、表示装置による視覚的演出効果が低減してしまう。
【００１１】
本発明では、上記遊技球通路部が、正面側から見て、表示装置の表示領域の端部近傍と重なる位置、又は、正面側から見て上記表示装置の表示領域以外の領域と重なる位置に、設けられているので、正面側から見て、上記表示装置における表示内容の主要部分と、上記遊技球通路部とが重なってしまう事態が回避される。
【００１２】
従って、本発明によれば、少なくとも一部が透明な部材で形成されたベース板の裏面側に、表示装置を配置することにより、遊技の興趣を向上させるとともに、大型の表示装置が用いられたときでも表示装置による視覚的演出効果及び遊技球通路部による遊技機能が低減することをより一層防止することが可能である。
【発明の効果】
【００１３】
本発明によれば、少なくとも一部が透明な部材で形成されたベース板の裏面側に、表示装置を配置することにより、遊技の興趣を向上させるとともに、大型の表示装置が用いられたときでも表示装置による視覚的演出効果及び入賞口による遊技性が低減することを防止できる。
【発明を実施するための最良の形態】
【００１４】
本実施形態における弾球遊技機１の構成について、図面を参照しながら説明する。図１は、本実施形態における弾球遊技機１の全体を示す斜視図であり、図２は、上記弾球遊技機１を構成する各部を分解した様子を示す分解説明図である。図３は、正面から見た場合の遊技盤３０の外観図である。図４は、裏面側から見た場合の遊技盤３０の外観を示す図である。図５は、液晶ディスプレイ部７０がベースドア６０に取り付けられた状態を示す図である。
【００１５】
図２に示すように、弾球遊技機１は、遊技場に設けられる遊技島に固定するための外枠８０と、外枠８０に取り付けられたベースドア６０とを有する。外枠８０の前面の左上部及び左下部には、ヒンジ凸部８０ａが設けられている。また、ベースドア６０の前面の左上部及び左下部には、ヒンジ凹部６０ｃが設けられている。そして、ヒンジ凹部６０ｃに、ヒンジ凸部８０ａが嵌め込まれることにより、外枠８０に対して、ベースドア６０が開閉可能に取り付けられる。
【００１６】
図２に示すように、本実施形態の弾球遊技機１において、ベースドア６０の裏面には、液晶ディスプレイ部７０が取り付けられている。液晶ディスプレイ部７０は、所定の画像（例えば、演出画像など）を表示可能な表示領域を有する表示装置である。具体的には、液晶ディスプレイ部７０には、所定の画像を表示可能な表示領域を有する液晶部７０ａと、液晶部７０ａの周囲に配設された液晶枠７０ｂとが設けられている。
【００１７】
ベースドア６０の裏面には、液晶ディスプレイ部７０をベースドア６０の頭上側から、差し入れることが可能なレール部（図示せず）が設けられているとともに、開口部６０ｅが設けられている。
【００１８】
レール部に液晶ディスプレイ部７０が差し入れられた状態で、液晶ディスプレイ部７０は、ベースドア６０に取り付けられる。このレール部に液晶ディスプレイ部７０が差し入れられた状態においては、正面側から見て、液晶ディスプレイ部７０の液晶部７０ａは、ベースドア６０の開口部６０ｅと重なる位置（即ち、対向する位置）に配置される。
【００１９】
図２に示すように、ベースドア６０の前面の上方には、スピーカ５０を嵌め込むことが可能な開口部６０ｄが設けられており、この開口部６０ｄに、スピーカ５０が嵌め込まれる。
【００２０】
また、図２に示すように、ベースドア６０の前面には、遊技盤３０が取り付けられている。具体的には、ベースドア６０の前面の中央には、スペーサ１１０が取り付けられた遊技盤３０が着脱可能に取り付けられている。遊技盤３０は、ベース板３２と、このベース板３２に設けられた後述する各種の遊技部材（第１遊技球誘導部材３など）とを具備する。このため、弾球遊技機１においては、液晶ディスプレイ部７０は、ベース板３２の裏面側に配設されていることになる。図２や図５に示すように、ベース板３２の４つの角部分には、孔部３１が設けられており、ベースドア６０には、４つの所定位置に、それぞれ、留め部材６１が設けられている。
【００２１】
この留め部材６１においては、板部６１ａと、留め部材６１がベース板３２の孔部３１に嵌め込まれたときに、回転操作によりベース板３２がベースドア６０から抜けない位置又はベース板３２がベースドア６０から抜ける位置に、板部６１ａを配置させるための回転部６１ｂとが設けられている。これにより、ベース板３２の４つの孔部３１に、ベースドア６０に設けられた４つの留め部材６１を嵌め込み、回転部６１ｂを用いた回転操作により、ベース板３２がベースドア６０から抜けない位置に、板部６１ａを配置させることができる。また、回転部６１ｂを用いた回転操作により、ベース板３２がベースドア６０から抜ける位置に、板部６１ａを配置させることができ、遊技盤３０をベースドア６０から取り出すこともできる。
【００２２】
なお、ベース板３２と液晶ディスプレイ部７０の間には、スペーサ１１０が設けられている。このスペーサ１１０には、発光基板１３０、電飾用レンズ部材１４０、遊技球通路部１２０が設けられている。これらについての説明は後述する。
【００２３】
遊技盤３０がベースドア６０の前面に取り付けられた状態では、遊技盤３０の遊技領域３３は、正面側から見て、ベースドア６０の開口部６０ｅと重なる位置に配置される。
【００２４】
ベース板３２の少なくとも一部は、液晶ディスプレイ部７０の表示領域を正面側から見て視認可能な透明な部材で形成されている。この透明部材は、無色透明のアクリル樹脂材、ボリカーボネート樹脂又はポリアリレート樹脂等の合成樹脂で形成することができる。本実施形態では、ベース板３２の全部が透明な部材で形成されているとする。但し、ベース板３２の一部が透明な部材で形成されている場合も本発明は同様に適用できる。
【００２５】
図３に示すように、遊技盤３０においては、ベース板３２上に、第１遊技球誘導部材３、第２遊技球誘導部材４、一般入賞口５，始動口６と、アウト口７、大入賞口８が配設されている。第１遊技球誘導部材３、第２遊技球誘導部材４、一般入賞口５、始動口６，大入賞口８は、遊技盤３０の遊技領域３３に設けられている。この遊技領域３３は、外レール３４と、内レール３５とによって区画され、発射された遊技球が流下可能な領域である。
【００２６】
第１遊技球誘導部材３及び第２遊技球誘導部材４は、遊技球の流下方向を大きく変化させるものである。第１遊技球誘導部材３は、遊技球が流下可能な遊技領域３３上の上方に位置するように配設され、ベース板３２の面に対して直角に立設された壁体から構成される。第２遊技球誘導部材４は、当該遊技領域３３上の下方に位置するように配設され、ベース板３２の面に対して直角に立設された壁体から構成される。
【００２７】
一般入賞口５は、当該一般入賞口５に遊技球が入球すると所定数（例えば、１５個）の遊技球（賞球）が払い出されるように構成されており、遊技球の入球により遊技者に所定の利益（賞球の払い出し）を付与するためのものである。始動口６は、当該始動口６に遊技球が入球すると大当り判定用の乱数値及び大当り図柄決定用の乱数値などが抽出されるように構成されている。アウト口７は、始動口６や大入賞口８や一般入賞口５などのいずれにも入球しなかった遊技球を受け入れる。大入賞口８は、特定領域（いわゆるＶゾーン）と一般領域とを具備し、大当り判定用の乱数値に基づく大当り判定の結果に応じ、所定の設定に従って開閉するように制御される。
【００２８】
また、図３、４に示すように、ベース板３２の各所定位置には、係止孔３０ａ（係止部）が設けられている。この係止孔３０ａは、スペーサ１１０の所定位置に設けられた係止片１１１が係止されるためのものである。
【００２９】
また、図４に示すように、ベース板３２の裏面には、誘導路ユニット部４ａが配設されている。この誘導路ユニット部４ａは、第１遊技球誘導部材３の下方に設けられた２つの孔に投入された遊技球を、第２遊技球誘導部材４の上方に設けられた３つの孔のいずれかから排出するためのものである。
【００３０】
また、ベース板３２の裏面には、裏面側から見て始動口６と重なる位置に、始動口ユニット部６ａが配設されている。この始動口ユニット部６ａには、始動口６に具備されている始動領域を遊技球が通過したことを検出する始動入賞球スイッチや、始動口６に具備されている１対の羽根を開閉するための始動口ソレノイドなどが設けられている。また、始動口ユニット部６ａには、始動口６に入球された遊技球を排出球受入部６２に送るための球送り口（図示せず）が設けられている。
【００３１】
また、ベース板３２の裏面には、裏面側から見て大入賞口８と重なる位置に、大入賞口ユニット部８ａが配設されている。この大入賞口ユニット部８ａには、大入賞口８の扉を開閉する大入賞口ソレノイドや、大入賞口８に具備されている特定領域や一般領域を通過した遊技球の数を計数するためのスイッチなどが設けられている。また、大入賞口ユニット部８ａには、大入賞口８に入球された遊技球を排出球受入部６２に送るための球送り口（図示せず）が設けられている。また、大入賞口ユニット部８ａには、始動口ユニット部６ａの球送り口から送られた遊技球を後述の排出球受入部６２に誘導するための誘導部８ｂが設けられている（後述の図６参照）。
【００３２】
また、図５に示すように、ベースドア６０の前面において、留め部材６１の右側には、排出球受入部６２が配設されている。この排出球受入部６２は、一般入賞口５に入球された遊技球や、始動口６に入球された遊技球や、大入賞口８に入球された遊技球や、アウト口７に投入された遊技球を受け入れ、弾球遊技機１外部に排出する。具体的には、排出球受入部６２は、後述する遊技球通路部の下端部１２１ｃから送られた遊技球を受け入れ、弾球遊技機１外部に排出する。また、排出球受入部６２は、大入賞口ユニット部８ａに設けられた球送り口から送られた遊技球を受け入れ、弾球遊技機１外部に排出する。また、排出球受入部６２は、始動口ユニット部６ａに設けられた球送り口から送られた遊技球を誘導部８ｂを介して、受け入れ、弾球遊技機１外部に排出する。
【００３３】
また、図２に示すように、ベースドア６０の前面の左上部及び左下部には、ヒンジ凹部６０ｆ（凹みの様子は図示せず）が設けられており、前面の左中部には、ヒンジ凸部６０ｇ（凸の様子は図示せず）が設けられている。また、ガラス枠１０の裏面の左上部には、ヒンジ凸部（図示せず）が設けられており、裏面の左下部には、ヒンジ凹部（図示せず）が設けられている。そして、ベースドア６０の前面の左上部に設けられたヒンジ凹部６０ｆに、ガラス枠１０に設けられたヒンジ凸部が嵌め込まれるとともに、ヒンジ凸部６０ｇが、ガラス枠１０に設けられたヒンジ凹部に嵌め込まれることにより、ベースドア７０に対して、ガラス枠１０が開閉可能に取り付けられる。なお、ベースドア６０の前面の左下部に設けられたヒンジ凹部６０ｆに、皿部２０の裏面に設けられたヒンジ凸部（図示せず）が嵌め込まれることにより、ベースドア６０に対して、皿部２０が開閉可能に取り付けられる。このガラス枠１０には、遊技盤３０の前面を覆うための前面ガラス１１がはめ込まれている。
【００３４】
また、図２に示すように、ベースドア６０の前面の下方には、皿部２０が取り付けられている。この皿部２０は、賞球などにより払い出された遊技球などを貯留するための上皿と、上皿から溢れ出た遊技球などを貯留するための下皿などで構成される。
【００３５】
ベースドア６０の前面に取り付けられた皿部２０の右側には、発射ハンドル４０が取り付けられている。具体的には、この発射ハンドル４０に設けられた係止片（図示せず）が、ベースドア６０の右下方に設けられた係止穴に、係止されることにより、発射ハンドル４０がベースドア６０に取り付けられる。なお、ベースドア６０の下方の右側には、発射ハンドルに設けられたハーネス（ボリュームスイッチと発射装置とを接続するためのハーネス、図示せず）を差し通すための貫通孔が設けられている。
【００３６】
ベースドア６０の裏面の左側（正面側から見て左側）には、図示しないヒンジ機構を介して、第１ユニット部９０が開閉可能に取り付けられている。この第１ユニット部９０には、遊技球を貯留するための球タンク、貸球又は賞球用の遊技球の払い出しを行う払出装置、貸球や賞球などの遊技球の通路である遊技球通路などが設けられている。
【００３７】
また、図２に示すように、ベースドア６０の裏面の右側（正面側から見て右側）には、第２ユニット部１００が取り付けられている。この第２ユニット部１００には、液晶ディスプレイ部７０に表示する図柄の表示制御を行う図柄制御基板、遊技盤３０の前面などに配設された各種ランプの点灯、点滅制御などを行うランプ制御基板、大当たり判定といった遊技処理全般を制御する主制御基板、貸球、賞球の払い出しに関する制御を行う払出基板、各基板の動作に必要な電源を供給する電源基板などが設けられている。
【００３８】
このように構成された遊技機においては、図５に示すように、液晶ディスプレイ部７０をベースドア６０に取り付けたままの状態で、作業者等は、ベースドア６０に対して、ガラス枠１０を開放させた状態で、回転部６１ｂを用いた回転操作により、ベース板３２がベースドア６０から抜ける位置に、板部６１ａを配置させることができ、遊技盤３０をベースドア６０から取り出すことができる。
【００３９】
図６は、ベース板３２の裏面に、発光基板１３０、遊技球通路部１２０が取り付けられているスペーサ１１０が設けられている様子を示すとともに、液晶ディスプレイ部７０とスペーサ１１０との間の配置関係を示す図である。図７は、上記弾球遊技機１を構成する遊技盤３０と、スペーサ１１０と、遊技球通路部１２０と、発光基板１３０と、液晶ディスプレイ部７０とに分解した様子を示す分解説明図である。図８は、弾球遊技機１において、スペーサ１１０と、液晶ディスプレイ部７０との間の配置関係を示す図である。
【００４０】
先ず、スペーサ１１０の構成の説明を行う。スペーサ１１０は、ベース板３２に対して、着脱可能に構成されている。具体的には、図７に示すように、スペーサ１１０の前面の各所定位置には、ベース板３２に設けられた係止孔３０ａに着脱可能に係止させるための係止片１１１が設けられている。そして、図７に示すように、スペーサ１１０に設けられた各係止片１１１の位置と、ベース板３２に設けられた各係止孔３０ａの位置とがそれぞれ合わせられて、各係止片１１１は、それぞれ、各係止孔３０ａに対して、取り外し可能に係合される。これにより、各係止片１１１は、各係止孔３０ａに着脱可能に係止される。
【００４１】
図７に示すように、スペーサ１１０には、正面側から見て液晶部７０ａを視認可能とするための貫通孔１１０ｃが設けられている。
【００４２】
また、スペーサ１１０には、遊技球通路部１２０と連通し、一般入賞口５に入球された遊技球を受け入れるための球受入孔１１２が正面側から見て一般入賞口５と重なる位置に設けられている（図８参照）。具体的には、スペーサ１１０がベース板３２に取り付けられるとともに、スペーサ１１０に遊技球通路部１２０が取り付けられた状態で、球受入孔１１２は、スペーサ１１０において、正面側から見てベース板３２に配設された一般入賞口５と重なる位置であるとともに、遊技球通路部１２０の通路部１２１の上端部１２１ａと重なる位置に配設されている。
【００４３】
また、液晶ディスプレイ部７０が、ベースドア６０の裏面側に取り付けられるとともに、遊技盤３０がベースドア６０の前面に取り付けられた状態で、一般入賞口５は、正面側から見て液晶ディスプレイ部７０の液晶部７０ａの端部近傍と重なる位置に、設けられている。
【００４４】
具体的には、図８に示すように、液晶ディスプレイ部７０が、ベースドア６０の裏面側に取り付けられるとともに、スペーサ１１０が取り付けられた遊技盤３０がベースドア６０の前面に取り付けられた状態で、球受入孔１１２は、正面側から見て液晶ディスプレイ部７０の液晶部７０ａの端部近傍と重なる位置に、設けられている。そして、上述したように、スペーサ１１０には、遊技球通路部１２０と連通し、一般入賞口５に入球された遊技球を受け入れるための球受入孔１１２が正面側から見て一般入賞口５と重なる位置に設けられている。このため、液晶ディスプレイ部７０が、ベースドア６０の裏面側に取り付けられるとともに、遊技盤３０がベースドア６０の前面に取り付けられた状態で、一般入賞口５は、正面側から見て液晶ディスプレイ部７０の液晶部７０ａの端部近傍と重なる位置に、設けられているといえる。
【００４５】
図８に示すように、弾球遊技機１において、スペーサ１１０は、正面側から見て液晶ディスプレイ部７０の周縁部と重なる位置に設けられている。具体的には、ベースドア６０の前面に対して、スペーサ１１０が裏面側に取り付けられた遊技盤３０が取り付けられている。そして、液晶ディスプレイ部７０は、ベースドア６０の裏面に対して、正面側から見て液晶枠７０ｂがスペーサ１１０に隠れる位置に、取り付けられている。
【００４６】
次に、スペーサ１１０の裏面の所定位置に設けられた遊技球通路部１２０の構成の説明を行う。この遊技球通路部１２０は、ベース板３２の裏面側に設けられており、一般入賞口５に入球した遊技球を遊技盤３０の下方に誘導するための遊技球の通路を構成するものである。
【００４７】
図６に示すように、液晶ディスプレイ部７０が、ベースドア６０の裏面側に取り付けられているとともに、遊技球通路部１２０が配設されたスペーサ１１０が、ベースドア６０の前面の所定位置に取り付けられている状態で、遊技球通路部１２０は、正面側から見て液晶ディスプレイ部７０の液晶部７０ａの端部近傍と重なる位置に、設けられている。
【００４８】
遊技球通路部１２０には、球受入孔１１２から送られてきた遊技球を通過させるための通路部１２１が設けられている。この通路部１２１においては、遊技球通路部１２０がスペーサ１１０に取り付けられた状態で、球受入孔１１２と対向する位置に、上端部１２１ａが配置されている。また、通路部１２１においては、下端部１２１ｂには、下向きの開口が設けられている。また、通路部１２１においては、正面側から見て、通路部１２１の前面側には、開口が形成されており、裏面側には、蓋が一体成形されている。このため、スペーサ１１０に遊技球通路部１２０が取り付けられた状態では、通路部１２１においては、通路部１２１の蓋とスペーサ１１０とに挟まれた空間が形成され、遊技球がこの空間を通過する。
【００４９】
このように構成された遊技球通路部１２０において、スペーサ１１０に遊技球通路部１２０が取り付けられた状態では、球受入孔１１２を介して、一般入賞口５から送られてきた遊技球が上端部１２１ａに送られ、遊技球が通路部１２１を通過し、下端部１２１ｃの開口から排出球受入部６２に送られる。また、遊技球通路部１２０は、スペーサ１１０の裏面の下方に、着脱可能に係止される。
【００５０】
この遊技球通路部１２０がスペーサ１１０の裏面に取り付けられることにより、弾球遊技機１において、正面側から見て、遊技球通路部１２０は、スペーサ１１０の裏面に配置されることになる。このため、遊技者は、透明なベース板３２で構成される遊技盤３０を介して、遊技球通路部１２０を視認してしまうことがない。
【００５１】
次に、スペーサ１１０の裏面に取り付けられている発光基板１３０の構成の説明を行う。発光基板１３０は、スペーサ１１０の裏面に、ネジなどにより取り付けられる。この発光基板１３０には、複数の発光部材１３１（例えば、ＬＥＤ）が配設されている。
【００５２】
次に、スペーサ１１０の前面に取り付けられている電飾用レンズ部材１４０の構成の説明を行う。電飾用レンズ部材１４０は、複数の発光部材１３１からの光を拡散するものである。この電飾用レンズ部材１４０は、スペーサ１１０の前面（発光部材１３１の前面側）に対して、正面側から見て上記複数の発光部材１３１と重なる位置に、配設されている。そして、電飾用レンズ部材１４０は、スペーサ１１０の前面に対して、着脱可能に係止される。
【００５３】
このようにして構成された電飾用レンズ部材１４０がスペーサ１１０の前面に取り付けられ、発光基板１３０がスペーサ１１０の裏面に取り付けられることにより、弾球遊技機１において、正面側から見て、発光部材１３１や電飾用レンズ部材１４０は、液晶部７０ａと重ならなくなる。
【００５４】
（作用効果）
本実施形態の弾球遊技機１によれば、遊技盤３０の遊技領域３３には、一般入賞口５が、正面側から見て液晶ディスプレイ部７０の液晶部７０ａの端部近傍と重なる位置に、設けられている。通常、液晶ディスプレイ部７０の表示内容の主要部分は、遊技者の注意を引きつけるために、液晶部７０ａの中央近傍やその周辺にて表示され、液晶ディスプレイ部７０の液晶部７０ａの端部近傍では、装飾的内容が表示されることが殆どである。本実施形態では、遊技上重要な構成となる一般入賞口５が、正面側から見て、液晶ディスプレイ部７０の液晶部７０ａの端部近傍と重なる位置に、設けられている。このため、本実施形態によれば、正面側から見て、液晶ディスプレイ部７０における表示内容の主要部分と、遊技盤３０の遊技領域３３に設けられる一般入賞口５とが重なってしまう事態が回避される。
【００５５】
従って、本実施形態によれば、少なくとも一部が透明な部材で形成されたベース板３２の裏面側に、液晶ディスプレイ部７０を配置することにより、遊技の興趣を向上させるとともに、大型の液晶ディスプレイ部７０が用いられたときでも液晶ディスプレイ部７０による視覚的演出効果及び一般入賞口５による遊技性が低減することを防止できる。
【００５６】
また、本実施形態において、ベース板３２の裏面側には、遊技球通路部１２０が、正面側から見て液晶ディスプレイ部７０の液晶部７０ａの端部近傍と重なる位置に、設けられている。一般的に、ベース板３２の裏面側には、上記遊技球通路部１２０が設けられている。弾球遊技機１の正面側から見て、液晶ディスプレイ部７０における表示内容の主要部分と、上記遊技球通路部１２０とが重なってしまうと、遊技者は、液晶ディスプレイ部７０における表示が見にくいと感じるようになり、液晶ディスプレイ部７０による視覚的演出効果が低減してしまう。
【００５７】
本実施形態では、上記遊技球通路部１２０が、正面側から見て、液晶ディスプレイ部７０の液晶部７０ａの端部近傍と重なる位置に、設けられているので、正面側から見て、液晶ディスプレイ部７０における表示内容の主要部分と、上記遊技球通路部１２０とが重なってしまう事態が回避される。
【００５８】
従って、本実施形態によれば、少なくとも一部が透明な部材で形成されたベース板３２の裏面側に、液晶ディスプレイ部７０を配置することにより、遊技の興趣を向上させるとともに、大型の液晶ディスプレイ部７０が用いられたときでも液晶ディスプレイ部７０による視覚的演出効果及び遊技球通路部１２０による遊技機能が低減することをより一層防止することが可能である。
【００５９】
（変更例）
（１）上述の実施形態では、遊技盤３０の遊技領域３３には、一般入賞口５が、正面側から見て液晶ディスプレイ部７０の液晶部７０ａの端部近傍と重なる位置に、設けられている場合の説明を行ったが、これに限定されず、一般入賞口５が、正面側から見て上記液晶ディスプレイ部７０の液晶部７０ａ以外の領域と重なる位置に、設けられていてもよい。
【００６０】
また、上述の実施形態では、遊技球通路部１２０は、正面側から見て液晶ディスプレイ部７０の液晶部７０ａの端部近傍と重なる位置に、設けられている場合の説明を行ったが、これに限定されず、遊技球通路部１２０が、正面側から見て上記液晶ディスプレイ部７０の液晶部７０ａ以外の領域と重なる位置に、設けられていてもよい。これらの場合においても、上述した実施形態と同じ効果が得られる。
【００６１】
また、一般入賞口５に限らず、始動口６，大入賞口８も遊技球の入球により遊技者に所定の利益（賞球の払い出しなど）を付与するためのものである。上述した実施形態では、一般入賞口５が、正面側から見て，液晶ディスプレイ部７０の液晶部７０ａの端部近傍と重なる位置に、設けられている場合の説明を行ったが、これに限定されず、一般入賞口５の代わりに、大入賞口８や始動口６などの入賞口が、正面側から見て，液晶ディスプレイ部７０の液晶部７０ａの端部近傍と重なる位置、又は、正面側から見て上記液晶ディスプレイ部７０の液晶部７０ａ以外の領域と重なる位置に、設けられてもよい。但し、始動口６や大入賞口８は、遊技上、主要な構成であるので、上述の実施形態のように、遊技領域３３の略中央の位置に配置されるのが好ましい。
【００６２】
そして、ベース板３２にスペーサ１１０に取り付けられた状態で、スペーサ１１０において、球受入孔１１２は、一般入賞口５と対向する位置に限らず、始動口６，大入賞口８、アウト口７と対向する位置に設けられても良い。そして、始動口６，大入賞口８、アウト口７に入球した遊技球が通路部１２１を通過するようにしてもよい。
【００６３】
また、遊技球通路部１２０は、スペーサ１１０に対して、着脱可能に係止されていたが、遊技球通路部１２０と、スペーサ１１０とは、一体成形されていてもよい。また、遊技球通路部１２０は、スペーサ１１０に設けられず、独立して、ベース板３２に取り付けられるようにしてもよい。
【００６４】
また、遊技球通路部１２０の形状や、通路部１２１の形状は、図６に示す形状（湾曲状の形状）に限定されず、球受入孔１１２から送られてきた遊技球を通過させることができるものであれば、どのような形状であってもよい。
【００６５】
（２）上述した実施形態では、ベース板３２と液晶ディスプレイ部７０との間において、スペーサ１１０は、正面側から見て、液晶ディスプレイ部７０の周縁部（例えば、液晶枠７０ｂ）と重なる位置に、設けられていたが、これに限定されず、スペーサ１１０は、正面側から見て、液晶ディスプレイ部７０の周縁部（例えば、液晶枠７０ｂ）と重ならない位置に、設けられていてもよい。また、スペーサ１１０は、正面側から見て、液晶ディスプレイ部７０の周縁部の一部と重なる位置（例えば、液晶ディスプレイ部の液晶枠７０ｂの４角部分と重なる位置）に、設けられていてもよい。
【００６６】
また、スペーサ１１０は、上述した実施形態の構成に限定されず、ベース板３２と液晶ディスプレイ部７０との間隔を所定距離に保つためのものであれば、どのような構成であってもよい。
【００６７】
また、上述の実施形態では、ベース板３２にスペーサ１１０が取り付けられた後、ベース板３２が、ベースドア６０に、取り付けられるようにしていたが、以下のようにしてもよい。即ち、ベースドア６０には、スペーサ１１０が取り付けられている。そして、ベースドア６０との間で、スペーサ１１０を挟み込むように、ベース板３２がベースドア６０に直接取り付けられるようにしてもよい。
【００６８】
また、上述の実施形態では、スペーサ１１０は、ベース板３２に着脱可能に係止されてり取り付けられたが、これに限定されず、以下のようにしてもよい。即ち、ベース板３２に対して、スペーサ１１０は、ビス留めにより固定されてもよい。
【００６９】
また、上述の実施形態では、液晶ディスプレイ部７０は、ベースドア６０に取り付けられるようにしていたが、液晶ディスプレイ部７０は、スペーサ１１０に取り付けられるようにしてもよい。そして、液晶ディスプレイ部７０が取り付けられたスペーサ１１０が、ベース板３２に取り付けられるようにしてもよい。
【００７０】
（３）また、上述の実施形態では、発光部材１３１は、例えば、ＬＥＤにより構成されるとしたが、これに限定されず、例えば、ランプなどで構成されてもよい。
【００７１】
また、上述した実施形態において、発光基板１３０は、スペーサ１１０の前面に取り付けられるようにしてもよい。そして、スペーサ１１０の前面に発光基板１３０が取り付けられた状態で、正面側から見て、発光基板１３０に配設された複数の発光部材１３１と重なる位置に、電飾用レンズ部材１４０がスペーサ１１０に対して、取り付けられるようにしてもよい。
【００７２】
また、上述の実施形態では、発光基板１３０がスペーサ１１０に取り付けられていたが、各発光部材１３１は、スペーサ１１０に、直接取り付けられているようにしてもよい。
【００７３】
また、電飾用レンズ部材１４０は、スペーサ１１０に着脱可能に係止されることにより、取り付けられたが、これに限定されず、以下のようにしてもよい。即ち、電飾用レンズ部材１４０は、スペーサ１１０に対して、ネジにより固定されてもよい。
【００７４】
また、上述した実施形態では、スペーサ１１０に対して、発光基板１３０、電飾用レンズ部材１４０、遊技球通路部１２０が取り付けられるようにしたが、スペーサ１１０と発光基板１３０と電飾用レンズ部材１４０と遊技球通路部１２０は一体成形されていてもよい。
【図面の簡単な説明】
【００７５】
【図１】本実施形態における弾球式遊技機の外観を示す図である。
【図２】本実施形態における弾球式遊技機の各部を分解した様子を示す分解図である。
【図３】本実施形態における遊技盤の正面図である。
【図４】本実施形態における遊技盤の裏面図である。
【図５】本実施形態において、液晶ディスプレイ部がベースドアに取り付けられた状態を示す図である。
【図６】本実施の形態において、遊技盤の裏面に、発光基板などが取り付けられているスペーサが設けられている様子を示すとともに、液晶ディスプレイ部７０とスペーサ１１０との間の配置関係を示す図である。
【図７】本実施の形態において、弾球遊技機を構成する遊技盤と、スペーサと、遊技球通路部と、発光基板と、液晶ディスプレイ部とに分解した様子を示す分解説明図である。
【図８】本実施の形態の弾球遊技機において、スペーサと、液晶ディスプレイ部との間の配置関係を示す図である。
【符号の説明】
【００７６】
１…弾球遊技機、３…第１遊技球誘導部材、４…第２遊技球誘導部材、４ａ…誘導路ユニット部、５…一般入賞口、６…始動口、６ａ…始動口ユニット部、７…アウト口、８…大入賞口、８ａ…大入賞口ユニット部、８ｂ…誘導部、１０…ガラス枠、１１…前面ガラス、２０…皿部、３０…遊技盤、３２…ベース板、３３…遊技領域、３４…外リール、３５…内レール、４０…発射ハンドル、６０…ベースドア、６０ｃ、６０ｆ…ヒンジ凹部、６０ｄ…開口部、６０ｅ…開口部、６０ｇ、８０ａ…ヒンジ凸部、６１…留め部材、６１ａ…板部、６１ｂ…回転部、６２…排出球受入部、７０…液晶ディスプレイ部、７０ａ…液晶部、７０ｂ…液晶枠、７５…スピーカ、８０…外枠、９０…第１ユニット部、１００…第２ユニット部、１１０…スペーサ，１１２…球受入孔，１２０…遊技球通路部、１２１…通路部  １３０…発光基板、１３１…発光部材、１４０…電飾用レンズ部材。
【図１】
2005152112.tif 000003
【図２】
2005152112.tif 000004
【図３】
2005152112.tif 000005
【図４】
2005152112.tif 000006
【図５】
2005152112.tif 000007
【図６】
2005152112.tif 000008
【図７】
2005152112.tif 000009
【図８】
2005152112.tif 000010